(57)【特許請求の範囲】
【請求項１】
第１ケース及び第２ケースを有して内部に回路基板が設けられた基板ユニットであって、前記第１ケース側に設けられる第１封止部と、前記第２ケース側に設けられる第２封止部と、当該第１封止部と当該第２封止部とを連結する封止部材とを有し、当該封止部材によって前記第１封止部と前記第２封止部とが連結されている場合に前記回路基板を取り出すときには所定部位を破壊するか或いは所定の部位を切断することを必要とする基板ユニットを備えた遊技機において、
前記基板ユニットにおける前記第１封止部及び第２封止部と反対側の一側部に設けられ、前記基板ユニットから突出した位置で係合する係合部を備え、
前記係合部は、前記第１ケース及び前記第２ケースの一方側に設けられる爪部と前記第１ケース及び前記第２ケースの他方側に設けられ、当該爪部を受け止める受部とから構成され、
前記係合部の爪部と受部とのうちの少なくとも一方は、弾性変形可能であり、
前記係合部の爪部と受部とは、前記基板ユニットを閉じると共に前記第１封止部と前記第２封止部との位置合わせをするスライド操作により、当該爪部及び当該受部のいずれかの弾性変形を介して当該スライド操作方向でもって係合し、
前記基板ユニットが閉じられて前記係合部の爪部と受部とが係合している場合において当該爪部又は当該受部に対して弾性変形力が付与されない場合には当該爪部と当該受部との係合が解除されないように構成されている、
ことを特徴とする遊技機。
【発明の詳細な説明】
【技術分野】
【０００１】
本発明は、パチンコ機やスロットマシンに代表される遊技機に関し、より詳しくは、制御基板を収容可能な基板ユニットを備えた遊技機に関するものである。
【背景技術】
【０００２】
従来の遊技機には、遊技に関わる種々の制御を司る制御基板を基板ユニットに収容したものがある。この種の基板ユニットは、複数の封止機構（封止部及び封止部材等）が設けられ、それら複数の封止機構を順次利用して封止される。
即ち、第１ケース及び第２ケースを有して内部に回路基板が設けられた基板ユニットであって、前記第１ケース側に設けられる複数の第１封止部と、前記第２ケース側に設けられる複数の第２封止部と、その第１封止部と第２封止部とを順次連結する複数の封止部材とを有し、その封止部材によって、少なくとも一つの前記第１封止部と第２封止部とが連結されている場合に前記回路基板を取り出すときには基板ユニットを破壊するか或いは所定の部位を切断することを必要とする。
【０００３】
このように、封止機構（第１封止部と第２封止部及びこれらを連結する封止部材）が複数けられているのは、不正行為者が不正に制御基板を取り出すときには痕跡が残り、営業店側が後に確認したときに不正が行われたことを容易に発見できるようにするためであり、複数の封止部を個別に使用することによって複数回の開閉操作が可能になっている。例えば、監督官庁等の検査機関による検査の際には、現在封止されている封止機構を破壊して基板ケースを開封すると共に、検査後に未使用の封止機構を用いて基板ケースを再度封止することができる。そして、検査回数を履歴として残すようにし、検査回数と破壊された封止機構の数とを照合することにより、不正行為によって封止機構が破壊されたことがあるか否かを判定する。なお、不正行為は、正規な制御プログラムが格納されているＲＯＭを不正な制御プログラムが格納されているＲＯＭに交換すること等を目的としてなされる。
【先行技術文献】
【特許文献】
【０００４】
【特許文献１】特開２００５−７４２１７号公報
【発明の概要】
【発明が解決しようとする課題】
【０００５】
このように、複数の第１封止部と第２封止部及びこれらを連結する封止部材からなる封止機構を備えてはいるが、開封痕跡が残ることを恐れない不正行為者であれば、前記封止部を強引に破断（切断）することによって、時間をかけることなく容易に基板ユニットから制御基板を取り出すことができたものであり、この観点に立てば、不正行為に対する抑止力が万全であると言えなかった。
【０００６】
本発明は、斯かる課題に鑑み創案されたものであって、基板ユニットを容易に開封できないようにして不正行為に対する抑止力を高めることを目的とする。
【課題を解決するための手段】
【０００７】
本発明に係る遊技機は、
第１ケース及び第２ケースを有して内部に回路基板が設けられた基板ユニットであって、前記第１ケース側に設けられる第１封止部と、前記第２ケース側に設けられる第２封止部と、当該第１封止部と当該第２封止部とを連結する封止部材とを有し、当該封止部材によって前記第１封止部と前記第２封止部とが連結されている場合に前記回路基板を取り出すときには所定部位を破壊するか或いは所定の部位を切断することを必要とする基板ユニットを備えた遊技機において、
前記基板ユニットにおける前記第１封止部及び第２封止部と反対側の一側部に設けられ、前記基板ユニットから突出した位置で係合する係合部を備え、
前記係合部は、前記第１ケース及び前記第２ケースの一方側に設けられる爪部と前記第１ケース及び前記第２ケースの他方側に設けられ、当該爪部を受け止める受部とから構成され、
前記係合部の爪部と受部とのうちの少なくとも一方は、弾性変形可能であり、
前記係合部の爪部と受部とは、前記基板ユニットを閉じると共に前記第１封止部と前記第２封止部との位置合わせをするスライド操作により、当該爪部及び当該受部のいずれかの弾性変形を介して当該スライド操作方向でもって係合し、
前記基板ユニットが閉じられて前記係合部の爪部と受部とが係合している場合において当該爪部又は当該受部に対して弾性変形力が付与されない場合には当該爪部と当該受部との係合が解除されないように構成されている、
ことを特徴とする。
【発明の効果】
【０００８】
本発明によれば、基板ユニットを容易に開封できず、不正行為に対する抑止力を高めることができる。
【図面の簡単な説明】
【０００９】
【図１】パチンコ機の正面図。
【図２】外枠に対して内枠と前面枠セットとを開放した状態を示す斜視図。
【図３】パチンコ機から前面枠セットを取り外した状態を示す正面図。
【図４】遊技盤の構成を示す正面図。
【図５】前面枠セットの背面図。
【図６】パチンコ機の背面図。
【図７】パチンコ機の背面構成を主要部品毎に分解して示す分解斜視図。
【図８】内枠に遊技盤を組み付けた状態でその構成を示す背面図。
【図９】内枠を後方より見た斜視図。
【図１０】支持金具の構成を示す斜視図。
【図１１】第１制御基板ユニットの正面図。
【図１２】第１制御基板ユニットの斜視図。
【図１３】第１制御基板ユニットの分解斜視図。
【図１４】第１制御基板ユニットを裏面から見た分解斜視図。
【図１５】第２制御基板ユニットの正直図。
【図１６】第２制御基板ユニットの斜視図。
【図１７】第２制御基板ユニットの分解斜視図。
【図１８】基板ユニットの正面図。
【図１９】基板ユニットの一作用工程を示す基板ユニットの分解斜視図。
【図２０】基板ケースの斜視図。
【図２１】基板ケースの一作用状態を示す要部の背面斜視図。
【図２２】図２１におけるＡ−Ａ矢視断面図。
【図２３】基板ケースの一作用状態を示す要部の背面斜視図。
【図２４】図２３におけるＢ−Ｂ矢視断面図。
【図２５】基板ケースの一作用状態を示す要部の背面斜視図。
【図２６】図２５におけるＣ−Ｃ矢視断面図。
【発明を実施するための形態】
【００１０】
本発明の説明に際して、次の意味を明らかにしておく。
基板ユニットから突出した位置で係合する係合部を別個独立して複数個備える形態として、実施例図面に示すように、係合部が基板ユニットの一面において所定の間隔で並設されて複数個備えられる形態の他に基板ユニットの異なる面に別途それぞれ設けられる形態も含まれる。
また、爪部と受部のうち、少なくとも一方は弾性変形する弾性部に構成するということは、実施例のように、爪部を形成するプラスチックの弾性を引き出す他、受部を弾性変形可能な形状とすることで、相互の弾性係合を行うようにしても良いと共に両者が弾性変形可能な形状に構成されることで、両者の係合が弾性的に行われるようにすることも含まれる。
前記爪部と受部の成形素材自体の弾性を利用することのほか、それらが剛体であって、一部がスプリング（コイルバネや板バネ）で構成され、その弾性変形を利用して両者が係合することも含まれる。
【００１１】
本発明にかかる遊技機は、手段１として、
第１ケース及び第２ケースを有して内部に回路基板が設けられた基板ユニットであって、前記第１ケース側に設けられる複数の第１封止部と、前記第２ケース側に設けられる複数の第２封止部と、その第１封止部と第２封止部とを連結する封止部材とを有し、その封止部材によって、少なくとも一つの前記第１封止部と第２封止部とが連結されている場合に前記回路基板を取り出すときには基板ユニットを破壊するか或いは所定の部位を切断することを必要とする基板ユニットを備えた遊技機において、
前記基板ユニットから突出した位置で係合する係合部を別個独立して複数個備え、
該各係合部は、爪部とこれを受け止める受部とから構成され、且つ、前記第１ケース又は前記第２ケースの一方側に爪部を、他方側に受部を設け、
更に、前記爪部と受部のうち、少なくとも一方は弾性変形する弾性部に構成し、
前記第１ケースと前記第２ケースとが閉じられる位置で、前記爪部と受部とが前記弾性部の弾性変形を介して係合し、且つ、前記弾性部に対する強制的弾性変形力の付与無しには前記爪部と受部との係合が解除されないように構成してあることを特徴とする。
【００１２】
本発明によれば、封止部を破断（切断）する強引な不正行為が行われる場合であっても、封止機構（封止部及び封止部材）とは別に、爪部又は受部の少なくとも一方の弾性変形を介して係合する複数の係合部を備えることで、これらを弾性変形させて係合解除させる必要を生じ、時間がかかったり、複数人による作業が必要となったり、この複数の係合部の存在及び箇所を発見しなければ、それ自体を破壊できないので、開封により一層時間を要するように出来て、不正行為に対する抑止力を高めることが出来る利点がある。
【００１３】
手段２：手段１に記載の遊技機において、
前記係合部の前記爪部と受部が、前記第１ケース及び第２ケースの前記第１封止部と第２封止部とは反対側に設けられ、前記第１封止部と第２封止部とのスライドによる位置合わせの操作方向でもって前記爪部と受部との係合が成されるように構成されていることを特徴とする。
これによって、前記第１封止部と第２封止部との連結による封印のための前記第１ケース及び第２ケースの位置合わせ（スライド）の操作によって、同時に前記係合部の前記爪部と受部との係合も行い得るので、格別の操作工程を必要とすることなく、前記係合部の係合状態が自動的に得られる利点がある。
【００１４】
手段３：手段１又は手段２に記載の遊技機において、
前記係合部と係合部との間に係合解除規制部が設けられ、前記各係合部の爪部と受部とに対する解除操作を阻害できるように構成されていることを特徴とする。
このように、係合解除規制部を係合部と係合部との間に設けることで、例えば、定規状のものを併置された係合部に当てて、一度に係合解除操作を行おうとしても、その間に介在された係合解除規制部が邪魔になり、そうした解除操作を行うことが出来なくなり、容易に前記第１ケース及び第２ケースを簡便に開封できない。
【００１５】
手段４：手段１又は手段２に記載の遊技機において、
前記受部が、実質上角形筒状体に形成されることによって係合解除規制部に構成されていることを特徴とする
このように、受部が、係合解除規制部となるべく実質上角形筒状体に形成されているので、その受部に係合する爪部は容易に係合解除できないのであり、これによって、前記第１ケース及び第２ケースを簡便に開封できない。
【００１６】
手段５：手段１又は手段２に記載の遊技機において、
前記受部が実質上角形筒状体に形成されて係合解除規制部を構成し、且つ、前記爪部が、前記角形筒状体に挿入されるように合成樹脂成形で細片に構成され、該細片構造によって弾性変形する弾性部に構成してあることを特徴とする。
このように、前記爪部の構成素材を合成樹脂として、これを細片に構成すことで弾性を引き出し、此れ自体を弾性部に構成することで、格別に弾性部を備える構成を採用する必要なく、簡単な構造で実施できる。
【００１７】
手段６：手段１乃至手段５に記載の遊技機において、
前記爪部の先端にフックを形成し、且つ、前記受部に、前記フックが係合する開口部を形成してあることを特徴とする。
このように構成したことで、爪部と受部の係合を確実に行い得ながら、その係合を開口部で行うと共に、通常の解除（不正行為の破壊ではない）の際に、この開口部を通して、爪部のフックに対して工具等を作用させて係合解除を行うことができる。
【００１８】
手段７：手段１乃至手段５に記載の遊技機において、
前記受部が、奥側（基板搭載面側）に位置する前記第１ケース又は第２ケースに設けられ、且つ、前記受部の開口部がその奥側に向けて開口されていることを特徴とする。
このように、前記開口部が奥側に向けて開口されていることで、この開口部に係合している爪部のフックの係合状態が外側から一見しただけでは分り難く、この片に対して工具等を作用させようとしたときに、基板搭載面側に位置していて、容易に工具を挿入し難くなっており、容易に解除させることを抑止できる。
【００１９】
手段８：手段１乃至手段７に記載の遊技機において、
前記第１ケース又は第２ケースの受部の一つが、前記第１ケース又は第２ケースに設けられたネジ止め部の側部に一体的に設けられていることを特徴とする。
このように、受部がネジ止め部と一体であることで、受部を破壊しようとしたときに、比較的大型のネジ止め部を破壊することに繋がり、破壊工作を困難ならしめる。
そして、このネジ止め部は、その側部に前記受部を一体的に設けてあることで、受部に対する解除操作を阻害する役目を果たし、上記した係合解除規制部の機能を発揮することになる。
【００２０】
以下、図面を参照しつつ本発明に係る遊技機の実施形態について説明する。なお、以下の実施形態では、便宜上、パチンコ機を挙げて説明するが、本発明は、パチンコ機以外の弾球遊技機（例えばアレンジボール機や雀球遊技機など）、スロットマシン、パチンコ機とスロットマシンとを融合させた融合機（例えば遊技媒体として遊技球を使用するスロットマシン）、その他種々の遊技機（例えばゲームセンタに設置されるいわゆるアーケードゲーム機など）に適用することができる。
【００２１】
（パチンコ機の正面構成）
図１は本実施形態のパチンコ機１０の正面図であり、図２は外枠１１に対して内枠１２と前面枠セット１４とを開放した状態を示す斜視図である。但し、図２では便宜上、下皿ユニット１３が内枠１２から取り外された状態を示している。
【００２２】
図１，２に示すように、パチンコ機１０は、当該パチンコ機１０の外殻を形成する外枠１１と、この外枠１１の一側部に開閉可能に支持された内枠１２とを備えている。外枠１１は、木製の板材により全体として矩形状に構成され、小ネジ等の離脱可能な締結具により各板材が組み付けられている。なお、外枠１１は、軽量化を図るために、樹脂やアルミニウム等の軽金属により構成されていてもよい。内枠１２の開閉軸線はパチンコ機１０の正面からみて遊技球発射ハンドル１８の設置箇所の反対側（図１のパチンコ機１０の左側）で上下に延びるように設定されており、この開閉軸線を軸心にして内枠１２が前方側に十分に開放できるようになっている。また、内枠１２は合成樹脂、具体的にはＡＢＳ（アクリロニトリル−ブタジエン−スチレン）樹脂から成る。こうすることで、粘性が高く衝撃に強くでき、低コストで製造できるという利点が発揮される。
【００２３】
内枠１２の構成を、図３も用いて詳細に説明する。図３は、パチンコ機１０から前面枠セット１４を取り外した状態を示す正面図である（但し、図３では便宜上、遊技盤３０面上の遊技領城内の構成〔釘、センター役物等〕を空白で示している）。
【００２４】
内枠１２は、大別すると、その最下部に取り付けられた下皿ユニット１３と、この下皿ユニット１３よりも上側の範囲で内枠１２の左側の上下方向の開閉軸線を軸心にして開閉自在に取り付けられた前面枠セット１４と、後述する樹脂ベース２０と、この樹脂ベース２０の後側に取り付けられる遊技盤３０とを備えている。
【００２５】
下皿ユニット１３は、内枠１２に対してネジ等の締結具により固定されている。この下皿ユニット１３の前面側には、下皿１５と球抜きレバー１７と遊技球発射ハンドル１８と灰皿２２と音出力口２４が設けられている。球受皿としての下皿１５は、下皿ユニット１３のほぼ中央部に設けられており、後述の上皿１９が満タンになった場合等に排出口１６より排出される遊技球を停留する役割がある。球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。遊技球発射ハンドル１８は、下皿１５よりも右方で手前側に突出するように配設されている。
【００２６】
遊技者による遊技球発射ハンドル１８の操作に応じて、遊技球発射装置３８（図６参照）によって遊技球が遊技盤３０の方へ打ち込まれるようになっている。遊技球発射装置３８は、遊技球発射ハンドル１８と後述するセットハンドル２２８と発射モータ２２９（図６参照）などで構成されている。音出力口２４は、下皿ユニット１３内あるいは背面に設けられたスピーカ（図示略）からの音を出力するための出力口である。また、灰皿２２は下皿１５の左方に設けられている。灰皿２２は左右方向（水平方向）の軸線を軸心にして回動（例えば前方側に向けて前回り）するように、その右側が下皿１５に片待ち支持されている。
【００２７】
なお、下皿ユニット１３はその大部分が内枠１２と同様、ＡＢＳ樹脂にて成形されている。こうすることで、粘性が高く衝撃に強くでき、低コストで製造できる。特に、下皿１５を形成する表面層と下皿１５の奥方の前面パネル部分とを難燃性のＡＢＳ樹脂にて成形している。このため、この部分は燃えにくくなっている。
【００２８】
また、前面枠セット１４は、図２に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠セット１４は内枠１２の外側壁（リブ）１２ｂ（図３参照）内に嵌まり込むようにして取り付けられている。つまり、この前面枠セット１４の側面の少なくとも一部が内枠１２の外側壁（リブ）１２ｂ内に嵌まり込むようにして取り付けられているので、内枠１２と前面枠セット１４との隙間から異物（針状あるいは薄板状等のものであって、具体的には針金、ピアノ線、セルロイド板等）を差し入れるなどの不正行為を防止できるようになっている。また、前面枠セット１４は、内枠１２と同様に、合成樹脂、具体的にはＡＢＳ樹脂により構成されているので、粘性が高く衝撃に強くでき、低コストで製造できる。
【００２９】
一方、前面枠セット１４の下部（上述の下皿１５の上方位置）には、遊技球の受皿としての上皿１９（図１参照）が前面枠セット１４と一体的に設けられている。この上皿１９は、遊技球を一旦貯留し、一列に整列させながら遊技球発射装置３８の方へ導出するための球受皿である。この上皿１９も下皿１５と同様、表面層が難燃性のＡＢＳ樹脂にて成形される構成となっている。
【００３０】
図３に示すように、内枠１２は、外形が矩形状の樹脂ベース２０を主体に構成されており、樹脂ベース２０の中央部には略円形状の窓孔２１が形成されている。樹脂ベース２０の後側には遊技盤３０が着脱可能に装着されている。遊技盤３０は四角形状の合板よりなり、その周縁部が樹脂ベース２０（内枠１２）の裏側に当接した状態で取着されている。従って、遊技盤３０の前面部の略中央部分が樹脂ベース２０の窓孔２１を通じて内枠１２の前面側に露出した状態となっている。
【００３１】
次に、図４を用いて遊技盤３０の構成を説明する。図４は遊技盤３０の構成を示す正面図である。遊技盤３０は、天入賞口６１０、一般入賞口６００、左右１対の第１始動口６０１、これら第１始動口６０１の変形部であって第１始動口６０１より若干下方に設けられた第２始動口６０２、遊技領域の略中央に設けられた電動役物ユニット（センター役物）６０３等を備えている。これらの一般入賞口６００、第１始動口６０１、第２始動口６０２、電動役物ユニット６０３等は、遊技盤３０における、ルータ加工によって形成された各貫通穴にそれぞれに配設され、遊技盤３０前面側から木ネジ等により取り付けられている。前述の天入賞口６１０、一般入賞口６００、第１の始動口６０１、第２の始動口６０２に対応する部位には、それぞれ、天入賞口入球センサ６０９、一般入賞口入球センサ６０７、第１始動口入球センサ６０５、第２始動口入球センサ６０６が設けられており、これらセンサは、図示しない電気配線を通じて後述する主制御基板（主制御装置）に接続されている。そして、天入賞口６１０、一般入賞口６００、第１始動口６０１、第２始動口６０２および電動役物ユニット６０３に遊技球が入球した場合には、上記各検出センサで検出され、この検出センサの出力に基づいて、上皿１９（または下皿１５）へ所定数の賞品球が払い出される。
【００３２】
尚、上記入賞感知機構にて各々検出された検出結果は、後述する主制御基板に取り込まれ、該主制御基板よりその都度の入賞状況に応じた払出指令（遊技球の払出個数）が払出制御基板に送信される。そして、該払出制御基板の出力により所定数の遊技球の払出が実施される。かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００３３】
その他に、遊技盤３０の左右端には、上記一般入賞口６００を備えた装飾部材６３０が設けられる一方、遊技盤３０の下方には、上記第１始動口６０１、第２始動口６０２を備えた補助ユニット６０８が設けられている。また、遊技盤３０にはアウト口３６が設けられており、各種入賞装置等に入球しなかった遊技球はこのアウト口３６を通って図示しない球排出路の方へと案内されるようになっている。さらに、遊技盤３０には、遊技球の落下方向を適宜分散、調整等するために多数の釘が植設されているとともに、同様の機能を有する風車が配設されている。
【００３４】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。なお、レールユニット５０はフッ素樹脂を添加して成形されているので、図３に示す奥面５０ａについての遊技球の摩擦抵抗を少なくできる。内レール５１は上方の約１／４ほどを除いて略円環状に形成され、一部（主に左側部）か内レール５１に向かい合うようにして外レール５２が形成されている。かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００３５】
内レール５１の先端部分（図４の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図４の右上部：外レール５２の先端部に相当する部位）に返しゴム５４が取着されている。従って、所定以上の勢いで発射された遊技球は、返しゴム５４に当たって跳ね返さわるようになっている。外レール５２の内側面には、遊技球の飛翔をより滑らかなものとするべく、つまり遊技球の摩擦抵抗を少なくするべく、長尺状をなすステンレス製の金属帯としての摺動プレート５５（図３参照）が取着されている。
【００３６】
また、レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。本実施形態では、レールユニット５０の少なくとも左側を遊技盤３０に強固に締結するために、レールユニット５０の左側はその右側よりも多いネジで遊技盤３０に締結されているので、レールユニット５０の左側についての遊技盤３０への密着性を上げることかでき、遊技球の球飛びを良くすることができる。レールユニット５０の左側が遊技盤３０に対してぐらついているとこのレールユニット５０に出射された遊技球の勢いが当該ぐらつきにより吸収されてしまうからである。
【００３７】
さらに本実施形態では、正面から見てレールユニット５０の上下左右の各端部は略直線状に（平坦に）形成されている。つまり、レールユニット５０の上下左右の各端部においてはフランジ５６が切り落とされ、パチンコ機１０における有限の領域にてレール径の拡張、すなわち遊技盤３０上の遊技領域の拡張が図られるようになっている。
【００３８】
内レール５１および外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路６３（図３参照）に導くための役目をなす。なお、遊技盤３０の右下隅部および左下隅部は、証紙（例えば製造番号が記載されている）等のシール（図４のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図４のＳ１，Ｓ２）を貼着することで、遊技盤３０と証紙との一義性を持たせることができる。
【００３９】
次に、遊技領域について説明する。遊技領域は、レールユニット５０の内周部（内外レール）により略円形状に区画形成されている。本実施形態では、遊技領域を、パチンコ機１０の正面から見て、内レール５１および外レール５２によって囲まれる領域のうち、内外レール５１，５２の並行部分である誘導レールの領域を除いた領域としている。従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領城の下側限界位置は遊技盤３０の下端位置によって特定される。また、遊技領域の上側限界位置は外レール５２によって特定される。
【００４０】
図３の説明に戻り、前記樹脂ベース２０において、窓孔２１（遊技盤３０）の下方には、遊技球発射装置３８より発射された直後に遊技球を案内するための発射レール６１が取り付けられている。発射レール６１は、その後方の金属板６２を介して樹脂ベース２０に取付固定されており、所定の発射角度（打ち出し角度）にて直線的に延びるよう構成されている。従って、遊技球発射ハンドル１８の回動操作に伴い発射された遊技球は、まずは発射レール６１に沿って斜め上方に打ち出され、その後前述した通りレールユニット５０の球案内通路を通じて所定の遊技領域に案内されるようになっている。
【００４１】
また、発射レール６１とレールユニット５０（誘導レール）との間には所定間隔の隙間があり、この隙間より下方にファール球通路６３が形成されている。従って、仮に、遊技球発射装置３８から発射された遊技球が戻り球防止部材５３まで至らずファール球として誘導レール内を逆戻りする場合には、そのファール球がファール球通路６３を介して下皿１５に排出される。
【００４２】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路６３に誘導される、これにより、ファール球の全てがファール球通路６３に確実に案内されるようになり、ファール球と次に発射される遊技球との干渉が抑制される。
【００４３】
なお、詳しい図面の開示は省略するが、遊技球発射装置３８には、前面枠セット１４側の球出口（上皿１９の最下流部より通じる球出口）から遊技球が１つずつ供給される。また、遊技球発射装置３８には打球槌が設けられ、軸部を中心とする打球槌の回動に伴い遊技球が発射される。
【００４４】
図３中の符号６７は上皿１９に通ずる排出口であり、この排出口６７を介して遊技球が上皿１９に排出される。排出口６７には、略水平方向の回転軸を軸心として略水平状態と略垂直状態とに変位する開閉式のシャッタ６８が取り付けられている、前面枠セット１４を内枠１２から開放した状能（図３の状態）では、バネ等の付勢力によりシャッタ６８が略水平状態から略垂直状態となり、排出口６７から遊技球がこぼれ落ちないようにこの排出口６７を閉鎖する。また、前面枠セット１４を閉鎖した状態では、当該前面枠セット１４の裏面に設けられた球通路樋６９（図２参照）によりシャッタ６８が押し開けられて略水平状態になり、排出口６７の方へ排出された遊技球はもれなく球通路樋６９を通って上皿１９に排出されるようになる。従って、本パチンコ機１０においては、前面枠セット１４の開放に際し払出通路内等の遊技球がパチンコ機１０外にこぼれ落ちてしまうといった不都合が防止できるようになっている。
【００４５】
図３に示すように、樹脂ベース２０には、窓孔２１の右下部に略四角形状の小窓７１が設けられている。従って、遊技盤３０の右下隅部に張られた証紙などのシール（図４のＳ１）は、この小窓７１を通じて視認できるようになっている。また、この小窓７１からシール等を貼り付けることも可能となっている。
【００４６】
また、図３に示すように、内枠１２の左端部には、前面枠セット１４の支持機構として、支持金具８１，８２が取り付けられている。上側の支持金具８１には図の手前側に切欠を有する支持孔８３が設けられ、下側の支持金具８２には鉛直方向に突出した突起軸８４が設けられている。
【００４７】
図３に示すように、内枠１２の上側には、前面枠セット１４が内枠１２に対して開かれたことを検出する前面枠セット開検出スイッチ９０が設けられている。前面枠セット１４が開かれると、前面枠セット開検出スイッチ９０からホール内（パテンコ店内）用コンピュータヘ出力されるようになっている。また、前面枠セット１４が閉じられると、図５に示す前面枠セット１４の金属製の補強板１３１，１３２が図３に示す内枠１２の一対の金具９２に接触するようになっており、前面枠セット１４のアースが確保されている。
【００４８】
ここで、前述した前面枠セット１４について、図１，図５を参照しつつより詳細に説明する。図５は、前面枠セット１４の背面図である。前面枠セット１４には前記遊技領域のほとんどを外部から視認することができるよう略楕円形状の窓部１０１が形成されている。詳しくは、窓部１０１は、その左右側の略中央部が、上下側に比べて比較的緩やかに湾曲した形状となっている。なお、前記略中央部が直線状になるようにしてもよい。
【００４９】
また、パチンコ機１０の正面から見て窓部１０１の左端と前面枠セット１４の左端との間の最短距離（いわゆる左側部フレーム部分の左右幅：図５では右側に示されている）、すなわち開閉軸線側のフレーム幅は、前面枠セット１４自体の強度および支持強度を高めるために比較的大きく設定されている。この場合、図１および図３を相互に比較すると明らかなように、前面枠セット１４が閉じられた状態において、外レール５２の左端部はもちろん、内レール５１の左端部も前記左側部フレーム部分によって覆い隠される。つまり、誘導レールの少なくとも一部が、パチンコ機１０の正面からみて前面枠セット１４の左側部フレーム部分と重複し覆い隠される。このように遊技球が一時的に視認困難となったとしても、それは、遊技球が遊技領域に案内される通過点に過ぎず、遊技者が主として遊技を楽しむ遊技領城において遊技球が視認困難となるわけではない。そのため、実際の遊技に際しては何ら支障が生じない。また、このような支障が生じない一方で、前面枠セット１４の十分な強度および支持強度が確保可能となっている。
【００５０】
加えて、前面枠セット１４にはその周囲（例えばコーナー部分）に各種ランプ等の発光手段が設けられている。これら発光手段は、大当たり遊技状態時や羽根開放時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり遊技状態時に点灯や点滅を行うことにより、大当たり遊技状態中であることを報知する。さらに、上皿１９周りにも、同じくＬＥＤ等の発光手段を内蔵した上皿電飾部１０４が設けられている。
【００５１】
その他、中央電飾部１０３の左右側方には、賞球払出し中に点灯する賞球ランプ１０５と所定のエラー時に点灯するエラー表示ランプ１０６とが設けられている。また、環状電飾部１０２の下端部に隣接するようにして、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００５２】
また、窓部１０１の下方には貸球操作部１２０が配設されており、貸球操作部１２０には球貸しボタン１２１と、返却ボタン１２２と、度数表示部１２３とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。度数表示部１２３はカード等の残額情報を表示するものである。なお、カードユニットを介さずに球貸し装置部から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００５３】
また、図１に示すように、前面枠セット１４の左側の小窓１０７付近を前面側（図１の紙面手前側）に必要以上に突出しないようにしている。こうすることで、パチンコ機１０の左側に設けられたカードサンドの球貸し装置から直接に上皿１９に遊技球を貸し出す際に、当該球貸し装置のノーズ部（いわゆる象の鼻）の先端排出口を好適に上皿１９の上方位置に位置させることができ、当該球貸し装置のノーズ部から貸し出される遊技球を上皿１９で受けることかできる。
【００５４】
前面枠セット１４の裏側には、窓部１０１を囲むようにして金属製の各種補強部材が設けられている。詳しくは、図５に示すように、前面枠セット１４の裏側にあって窓部１０１の上下左右の外側にはそれぞれ補強板１３１，１３２，１３３，１３４が取り付けられている。これら補強板１３１〜１３４は相互に接触して連結されているが、図の左側および上側の補強板１３２，１３３の連結部には直接の接触を避けるための樹脂パーツ１３５が介在されている。このように補強板１３２，１３３の連結部に樹脂パーツ１３５を介在させているので、ノイズが補強板１３１〜１３４でループすることを防止できる。また、図５の右側の補強板１３１にはその中間位置にフック状をなす係合爪１３１ａが設けられており、この係合爪１３１ａは、前面枠セット１４を閉じた状態で内枠１２の孔部１２ａ（図３参照）に係合されるように構成されている。この構成により、上皿１９を含む形態で前面枠セット１４が構成され、その上下の軸支位置が延長されたとしても、中間位置における前面枠セット１４の浮き上がりが防止できる。それ故、前面枠セット１４を浮かしての不正行為等が抑制されるようになっている。
【００５５】
また、下側の補強板１３４には、前記発射レール６１（図３参照）に対向する位置に樹脂製のレール側壁部材１３６が設けられている。このレール側壁部材１３６は、前面枠セット１４を閉じた際に発射レール６１の側壁となる。故に、発射レール６１から遊技球がこぼれ落ちないようになっている。
【００５６】
上述した補強板１３１〜１３４はガラス支持用の金枠としての機能も兼ね備えており、これら補強板１３１〜１３４の一部が後方に折り返されてガラス保持溝が形成されている。このガラス保持溝は前後に２列形成されており、矩形状をなす前後一対のガラス１３７が各ガラス保持溝にて保持される。これにより、２枚のガラス１３７が前後に所定間隔を隔てて取着されるようになっている。
【００５７】
また、前面枠セット１４の図５の右端部（パチンコ機１０正面から見ると左端部）には、内枠１２の支持機構として、支持金具１５１，１５２が取り付けられている。従って、内枠１２側の支持金具８１，８２（図３参照）に対して前面枠セット１４側の支持金具１５１，１５２を組み付けることで、内枠１２に対して前面枠セット１４が開閉可能に装着されるようになる。
【００５８】
（パチンコ機の背面構成）
次に、パチンコ機１０の背面の構成を詳しく説明する。図６はパチンコ機１０の背面図であり、図７はパチンコ機１０の背面構成を主要部品毎に分解して示す分解斜視図である。先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２または遊技盤３０の裏面に装着するようにしている。この場合、主制御基板と音声ランプ制御基板とを一方の取付台に搭載してユニット化すると共に、払出制御基板、発射制御基板および電源基板を他方の取付台に搭載してユニット化している。ここでは便宜上、前者のユニットを「第１制御基板ユニット２０１」と称し、後者のユニットを「第２制御基板ユニット２０２」と称することとする。
【００５９】
また、払出機構および保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００６０】
第１制御基板ユニット２０１、第２制御基板ユニット２０２および裏パックユニット２０３は、ユニット単位で何ら工具等を用いずに着脱できるよう構成されており、さらにこれに加え、一部に支軸部を設けて内枠１２または遊技盤３０の裏面に対して開閉できる構成となっている。これは、各ユニット２０１〜２０３やその他構成が前後に重ねて配置されても、隠れた構成等を容易に確認することを可能とするための工夫でもある。
【００６１】
一方、図８は、内枠１２に遊技盤３０を組み付けた状態でその構成を示す背面図であり、図９は内枠１２を後方より見た斜視図である。ここでは図８および図９を用いて内枠１２および遊技盤３０の裏面構成を説明する。
【００６２】
遊技盤３０は、樹脂ベース２０に囲まれた四角枠状の設置領域に設置され、内枠１２に設けられた複数（本実施形態では４カ所）の係止固定具２１１，２１２によって脱落しないように固定されている。係止固定具２１１，２１２は手動で回動でき、固定位置（ロック位置）と固定解除位置（アンロック位置）とを切り換えることができるよう構成されており、図８にはロック状態を示す。遊技盤３０の左右３ヵ所の係止固定具２１１は金属片を折り曲げ形成したＬ型の金具であり、遊技盤３０の固定状態で内枠外方へ張り出さないよう構成されている。なお、遊技盤３０の下部１カ所の係止固定具２１２は樹脂製のＩ型の留め具である。
【００６３】
遊技盤３０の中央には電動役物ユニット６０３が配置されている一方、電動役物ユニット６０３の下側には第１始動口６０１および第２始動口６０２を備えた補助ユニット６０８が配置されている。遊技盤３０の裏面には、電動役物ユニット６０３、補助ユニット６０８、および、装飾部材６３０を取り囲むようにして、遊技球回収機構を備えた裏枠セット（図示せず）が取り付けられている。また、遊技盤３０の下方には、内枠１２に樹脂製（例えばポリカーボネート樹脂製）の排出通路盤２１７が取り付けられており、該排出通路盤２１７には、排出球をパチンコ機１０外部へ案内するための排出通路２１８が形成されている。従って、一般入賞口６００等に入賞した遊技球は何れも前記裏枠セットの回収通路を介して集合し、さらに排出通路盤２１７の排出通路２１８を介してパチンコ機１０外部に排出される。なお、アウト口３６（図３参照）も同様に排出通路２１８に通じており、何れの入賞口にも入賞しなかった遊技球も排出通路２１８を介してパチンコ機１０外部に排出される。
【００６４】
なお、排出通路盤２１７は、パチンコ機前面の上皿１９の丁度裏側辺りに設けられており、上皿１９に至る球排出口（図２の球通路樋６９）より針金等を差し込み、さらにその針金等を内枠１２と排出通路盤２１７との隙間を通じて遊技領域側に侵入させるといった不正行為が考えられる。そこで本パチンコ機１０では、排出通路盤２１７の上皿１９の丁度裏側辺りに、内枠１２にほぼ一体的に重なり合うようにしてパチンコ機前方に延びるプレート２１９が設けられている。従って、内枠１２と排出通路盤２１７との隙間から針金等を侵入させようとしてもそれがプレート２１９にて阻害され、遊技領域にまで針金等を侵入させることが非常に困難となるので、不正行為を防止することができる。なお、図９において符号２２８は打球槌等を備えるセットハンドルであり、符号２２９は発射モータである。
【００６５】
また、内枠１２の裏面には、第２制御基板ユニット２０２や裏パックユニット２０３を取り付けるための取付機構が設けられている。具体的には、内枠１２にはその右端部に長尺状の支持金具２３５が取り付けられており、その構成を図１０に示す。図１０に示すように、支持金具２３５は長尺板状の金具本体２３６を有し、その金具本体２３６より起立させるようにして、下方２カ所に第２制御基板ユニット用の支持孔部２３７が形成されると共に、上方２ヵ所に裏パックユニット用の支持孔部２３８が形成されている。それら支持孔部２３７，２３８にはそれぞれ同軸の支持孔が形成されている。
【００６６】
その他、第２制御基板ユニット用の取付機構として、内枠１２には、遊技盤設置領域よりも下方左端部に上下一対の被締結孔（ナイラッチ孔）２３９が設けられている。また、裏パックユニット用の取付機構として、内枠１２には、遊技盤設置領域の左端部に上下一対の被締結孔（ナイラッチ孔）２４０が設けられている。但し、第２制御基板ユニット用の支持金具と裏パックユニット用の支持金具とを各々個別の部材で設けることも可能である。符号２４１，２４２，２４３は、遊技盤３０との間に裏パックユニット２０３を挾み込んで支持するための回動式の固定具である。
【００６７】
その他、内枠１２の背面構成において、遊技盤３０の右下部には、後述する払出機構部３５２より払い出される遊技球を上皿１９、下皿１５、または排出通路２１８の何れかに振り分けるための遊技球分配部２４５が設けられている。すなわち、遊技球分配部２４５の開口部２４５ａは上皿１９に通じ、開口部２４５ｂは下皿１５に通じ、開口部２４５ｃは排出通路２１８に通じる構成となっている。図８に示すように、遊技球分配部２４５は、その上方位置に位置する後述の払出機構部３５２（図１８参照）とは別体としている。図８に示すように、遊技球分配部２４５は、内枠１２にネジで締結固定されており、パチンコ機１０の上皿１９の排出口６７（図３参照）から異物を挿入操作するなどしても動かない、つまり遊技球分配部２４５が奥側に押されて遊技球分配部２４５と内枠１２との間に隙間が空くようなことが無いし、この隙間に異物を押入するなどによる不正を防止できる。
【００６８】
また、内枠１２の下端部には、下皿１５に設置されたスピーカの背後を囲むための樹脂製のスピーカボックス２４６が取り付けられており、このスピーカボックス２４６により低音域の音質改善が図られている。
【００６９】
次に、第１制御基板ユニット２０１を、図１１〜図１４を用いて説明する。図１１は第１制御基板ユニット２０１の正面図、図１２は同ユニット２０１の斜視図、図１３は同ユニット２０１の分解斜視図、図１４は同ユニット２０１を裏面から見た分解斜視図である。
【００７０】
第１制御基板ユニット２０１は略Ｌ字状をなす取付台２５１を有し、この取付台２５１に主制御装置２６１と音声ランプ制御装置２６２とが搭載されている。ここで、主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主制御基板を具備しており、この主制御基板が透明樹脂材料等よりなる基板ケース２６３に収容された構成とされる。
【００７１】
また、音声ランプ制御装置２６２は、例えば主制御装置２６１（主制御基板）または図示しない表示制御装置からの指示に従い音声やランプ表示の制御を司るＣＰＵや、その他ＲＯＭ、ＲＡＭ、各種ポート等を含む音声ランプ制御基板を具備しており、この音声ランプ制御基板が透明樹脂材料等よりなる基板ケース２６５に収容されて構成されている。音声ランプ制御装置２６２上には電源中継基板２６６が搭載されており、後述する電源基板より供給される電源がこの電源中継基板２６６を介して前記表示制御装置および音声ランプ制御装置２６２に出力されるようになっている。
【００７２】
取付台２５１は、有色（例えば緑、青等）の樹脂材料（例えばポリカーボネート樹脂製）にて成形され、その表面に平坦状をなす２つの基板搭載面２５２，２５３が設けられている。これら基板搭載面２５２，２５３は直交する向きに延び、前後方向に段差をもって形成されている。但し、取付台２５１は無色透明または半透明の樹脂成型品であっても良い。
【００７３】
そして、一方の基板搭載面２５２上に主制御装置２６１（主制御基板）が横長の向きに配置されると共に、他方の基板搭載面２５３上に音声ランプ制御装置２６２（音声ランプ制御基板）が縦長の向きに配置されるようになっている。特に、主制御装置２６１は、パチンコ機１０裏面から見て手前側に配置され、音声ランプ制御装置２６２はその奥側に配置される。この場合、基板搭載面２５２，２５３が前後方向に段差をもって形成されているため、これら基板搭載面２５２，２５３に主制御装置２６１および音声ランプ制御装置２６２を搭載した状態において各制御装置２６１，２６２はその一部を前後に重ねて配置されるようになる。つまり、図１２等にも見られるように、主制御装置２６１はその一部（本実施の形態では１／３程度）が浮いた状態で配置されるようになる。故に、主制御装置２６１に重なる領域まで音声ランプ制御装置２６２を拡張することが可能となり、当該制御基板の大型化にも良好に対処できる。また、各制御装置が効率良く設置できるようになる。また、第１制御基板ユニット２０１を遊技盤３０に装着した状態では、基板搭載面２５２の後方にスペースが確保され、電動役物ユニット６０３やその電気配線等が無理なく設置できるようになっている。
【００７４】
図１３および図１４に示すように、主制御基板用の基板搭載面２５２には、左右２ヵ所に横長形状の貫通孔２５４が形成されている。これに対応して、主制御装置２６１の基板ケース２６３には、その裏面の左右２ヵ所に回動式の固定具２６７が設けられている。主制御装置２６１を基板搭載面２５２に搭載する際には、基板搭載面２５２の貫通孔２５４に固定具２６７が通され、その状態で固定具２６７が回動されて主制御装置２６１がロックされる。従って、上述の通り主制御装置２６１はその一部が浮いた状態で配置されるとしても、当該主制御装置２６１の脱落等の不都合が回避できる。また、主制御装置２６１は、裏パックユニット２０３の軸線を軸心として開き、第１制御基板ユニット２０１を、軸線を軸心として開いた後に、この第１制御基板ユニット２０１（基板搭載面２５２）の裏面側から固定具２６７をロック解除しなければ、取り外しできないため、基板取り外し等の不正行為に対して抑止効果が期待できる。主制御基板用の基板搭載面２５２にはその裏面に格子状のリブ２５５が設けられている。
【００７５】
取付台２５１には、図１２等の左端面に上下一対の支軸２５６が設けられており、この支軸２５６を図８等に示す支持金具２３１に取り付けることで、第１制御基板ユニット２０１が遊技盤３０に対して開閉可能に支持される。また、取付台２５１には、右端部に締結具として上下一対のナイラッチ２５７が設けられると共に上端部に長孔２５８が設けられており、ナイラッチ２５７を図８等に示す被締結孔２３２にはめ込むこと等により、第１制御基板ユニット２０１が遊技盤３０に固定されるようになる。
【００７６】
次に、第２制御基板ユニット２０２を、図１５〜図１７を用いて説明する。図１５は第２制御基板ユニット２０２の正面図、図１６は同ユニット２０２の斜視図、図１７は同ユニット２０２の分解斜視図である。但し、図１６では便宜上、カードユニット接続基板３１４が取付台３０１から取り外された状態を示している。
【００７７】
第２制御基板ユニット２０２は横長形状をなす取付台３０１を有し、この取付台３０１に払出制御装置３１１、発射制御装置３１２、電源制御装置３１３およびカードユニット接続基板３１４が搭載されている。払出制御装置３１１、発射制御装置３１２および電源制御装置３１３は周知の通り制御の中枢をなすＣＰＵや、その他ＲＯＭ、ＲＡＭ、各種ポート等を含む制御基板を具備しており、払出制御装置３１１により、賞品球や貸出球の払出が制御される。また、発射制御装置３１２により、遊技者による遊技球発射ハンドル１８の操作に従い発射モータ２２９の制御が行われ、電源制御装置３１３により、各種制御装置等で要する所定の電源電圧が生成され出力される。カードユニット接続基板３１４は、パチンコ機前面の貸球操作部１２０（図１参照）および図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００７８】
上記払出制御装置３１１、発射制御装置３１２、電源制御装置３１３およびカードユニット接続基板３１４は、透明樹脂材料等よりなる基板ケース３１５，３１６，３１７，３１８にそれぞれ収容された構成とされる。
【００７９】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られるようになっている。
また、電源制御装置３１３にはＲＡＭ消去スイッチ３２３が設けられている。
【００８０】
取付台３０１は例えば無色透明な樹脂成型品よりなり、その表面に平坦状をなす基板搭載面３０２が設けられている。この場合、発射制御装置３１２、電源制御装置３１３およびカードユニット接続基板３１４は取付台３０１の基板搭載面３０２に横並びの状態で直接搭載され、電源制御装置３１３の基板ケース３１７上に払出制御装置３１１が搭載されている。
【００８１】
また、取付台３０１には、図１５等の右端部に上下一対の支軸３０５が設けられており、この支軸３０５を図９等に示す支持孔部２３７に上方から挿通させることで、第２制御基板ユニット２０２が内枠１２に対して開閉可能に支持される。また、取付台３０１には、左端部に締結具として上下一対のナイラッチ３０６が設けられており、ナイラッチ３０６を図９等に示す被締結孔２３９にはめ込むことで、第２制御基板ユニット２０２が内枠１２に開閉不能に固定されるようになる。
【００８２】
次に、裏パックユニット２０３の構成を説明する。裏パックユニット２０３は、樹脂成形された裏パック３５１と遊技球の払出機構部３５２とを一体化したものであり、裏パックユニット２０３の正面図を図１８に示し、分解斜視図を図１９に示す。
【００８３】
裏パック３５１は例えばＡＢＳ樹脂により一体成型されており、略平坦状のベース部３５３と、パチンコ機後方に突出し横長の略直方体形状をなす保護カバー部３５４とを有する。保護カバー部３５４は左右側面および上面が閉鎖されかつ下面のみが開放された形状をなし、少なくとも電動役物ユニット（センター役物）６０３を囲むのに十分な大きさを有する（但し、本実施形態では、前述の音声ランプ制御装置２６２も合わせて囲む構成となっている）。保護カバー部３５４の背面には多数の通気孔３５４ａが設けられている。この通気孔３５４ａは各々が長孔状をなし、それぞれの通気孔３５４ａが比較的近い位置で隣り合うよう設けられている。従って、隣り合う通気孔３５４ａ間にある樹脂部分を切断することにより、裏パック３５１の背面を容易に開口させることができる。つまり、通気孔３５４ａ間の樹脂部分を切断してその内部の前記表示制御装置等を露出させることで、所定の検定等を容易に実施することができる。
【００８４】
また、ベース部３５３には、保護カバー部３５４を迂回するようにして払出機構部３５２が配設されている。すなわち、裏パック３５１の最上部には上方に開口したタンク３５５が設けられており、このタンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払い出された遊技球は図１９に示す払出通路３５９等を通じて上皿１９に供給される。
【００８５】
タンクレール３５６と、当該タンクレール３５６に振動を付加するためのバイブレータ３６０とが一体化となるようにユニット化されている。つまり、バイブレータ３６０が例えば２本のネジでタンクレール３５６に締結されて取り付けられるようになっている。さらに、バイブレータ３６０は、タンクレール３５６に面接触するのではなく、当該２本のネジの部分で接触するようになっており、バイブレータ３６０による振動がより効果的にタンクレール３５６に伝わるようになっている。従って、仮にタンクレール３５６付近で球詰まりが生じた際、バイブレータ３６０が駆動されることで球詰まりが解消されるようになっている。
【００８６】
払出機構部３５２には、払出制御装置３１１から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮまたは電源ＯＦＦとされるようになっている。
【００８７】
タンク３５５から払出通路３５９に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制されるようになっている。
【００８８】
また、裏パック３５１には、図１８等の右端部に上下一対の支軸３８５が設けられており、この支軸３８５を図８等に示す支持孔部２３８に上方から挿通させることで、裏パックユニット２０３が内枠１２に対して開閉可能に支持される。また、裏パック３５１には、左端部に締結具として上下一対のナイラッチ３８６が設けられると共に、上端部に係止孔３８７が設けられており、ナイラッチ３８６を図８等に示す被締結孔２４０にはめ込むと共に、係止孔３８７に図８等に示す固定具２４２を係止させることで、裏パックユニット２０３が内枠１２に開閉不能に固定されるようになる。このとき、図８等に示す固定具２４１，２４３によっても裏パックユニット２０３が内枠１２に固定される。
【００８９】
なお、図６，図１８に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータヘ出力されるようになっている。
【００９０】
なお、図８に示すように、裏パックユニット２０３は、被締結孔２４０およびナイラッチ３８６と、固定具２４１とによって、内枠１２の裏面に着脱自在に取り付けられている。このように固定具２４１も用いているので、タンク３５５に供給される遊技球の重みで裏パックユニット２０３が内枠１２から外れてしまうことを防止している。
【００９１】
以上、パチンコ機の正面側及び背面側の構成につき説明したが、次に、本発明に関する最も重要な部分、即ち、主制御装置２６１の第１制御機ナユニット２０１の基板ケース２６３について詳述する。この基板ケース２６３は、第１ケース（ケース本体部４００）及び第２ケース（蓋体部５００）を有して内部に回路基板が設けられた基板ユニットであって、前記第１ケース側に設けられる複数の第１封止部（本体側封止部４０１）と、前記第２ケース側に設けられる複数の第２封止部（蓋体側封止部５０１）と、その第１封止部と第２封止部とを連結する封止部材（封止ピン７００）とを有し、その封止部材によって、少なくとも一つの前記第１封止部と第２封止部とが連結されている場合に前記回路基板を取り出すときには基板ユニットを破壊するか或いは所定の部位を切断することを必要とする基板ユニットである。
【００９２】
そして、前記基板ユニット２０１に係合部５０６を４個備え、該各係合部５０６は、爪部５０７とこれを受け止める受部５０８とから構成され、且つ、前記第１ケースであるケース本体部４００（又は前記第２ケースの一方）側に爪部５０７を、第２ケースである蓋体部５０１側に受部５０８を設け、更に、前記爪部５０７と受部５０８のうち、少なくとも一方、ここでは爪部５０７側を弾性変形する弾性部５０９に構成し、前記第１ケースと前記第２ケースとが閉じられる位置で、前記爪部５０７と受部５０８とが前記弾性部５０９の弾性変形を介して係合し、且つ、前記弾性部５０９に対する強制的弾性変形力の付与無しには前記爪部５０７と受部５０８との係合が解除されないように構成してあるが、この詳細については以下順次説明を行う。
【００９３】
尚、本発明は、主制御装置２６１の基板ケース２６３のみならず、副制御装置（例えば前記表示制御装置、音声ランプ制御装置２６２、払出制御装置３１１、発射制御装置３１２、電源制御装置３１３など）の基板ケース３１５〜３１８にも適用できるが、説明が重複するので、便宜上、以下の実施形態では主制御装置２６１の基板ケース２６３に適用した場合についてのみ説明する。
【００９４】
尚、ケース本体部４００（第１ケース），及び蓋体部５００（第２ケース）の称呼について、既に、上記の解決手段の項において言及した通り、蓋は、ベースとなる本体に対して閉蓋するものであるが、蓋をベースとして、これに対して本体で閉蓋することもあり、相対的なものとして認識されてよい。従って、何れをケース本体部４００、第１ケースと呼称し、蓋体部５００、第２ケースと呼称するかは、制御基板収納の機能或いは構造の観点から任意に選定してよいものであって、本発明においては、上記の通りに呼称することにしている。
【００９５】
このように、前記基板ケース２６３は、図１１乃至図１３及び図２０も示すように、一対のケース構成体、即ち、制御基板を略収納する容積のある、第１ケースとなるケース本体部４００と、第２ケースとなるその蓋体部５００とからなる。
前記基板ケース２６３は、第１封止部となる１個の本体側封止部４０１と、第２封止部となる1個の蓋体側封止部５０１とを備えた封止機構４７０により封印解除不能に構成されている。上記第１封止部（本体側封止部４０１）と第２封止部（蓋体側封止部５０１）とは、複数、ここでは、５個設けられている。図１２乃至図１３及び図２０に基づいて、第１封止部及び第２封止部及びその封止部材について簡略に説明するが、かかる、第１封止部及び第２封止部及びその封止部材は、それ自体公知の構造のものである。
【００９６】
第１ケースであるケース本体部４００及び第２ケースである蓋体部５００は、互いにスライドして合わされる構造とされており、その嵌合方向の一側端部、即ち、正面視で長方形を成す基板ケース２６３の短辺側の一側端部には、前記５個の第１封止部である本体側封止部４０１と第２封止部である蓋体側封止部５０１とが互いに対向して対応するように夫々、所定の間隔を隔てて形成されている。そして、図１１乃至図１３に示すように、更に、前記蓋体側封止部４０１が、前記蓋体部５００に対して破壊容易な肉厚の薄い一対のリブ５０２によって連結形成されている。
【００９７】
そして、本体側封止部４０１と蓋体側封止部５０１とを連結する封止部材として、ここでは、封止ピン７００が、第１封止金具７００Ａと第２封止金具７００Ｂとから構成され、第１封止金具７００Ａは、本体側封止部４０１の側にセットされ、第２封止金具７００Ｂは、蓋体側封止部５０１から挿入されて前記第１封止金具７００Ａに係合するように構成されている。この封止ピン７００についても、それ自体公知の構造のものである。
【００９８】
上記基板ケース２６３は、第１ケースであるケース本体部４００と、第２ケースである蓋体部５００との二つ割りに構成されるが、図２０に示すように、互いがスライド操作によって開閉され、封止ピン７００を用いて封止される。そして、前記ケース本体部４００も蓋体部５００も共に透明樹脂乃至半透明樹脂（ここでは、淡黄緑色だが、その他、黒色、白色、赤色、青色、黄色など）で成型されている。
【００９９】
そして、ケース本体部４００及び蓋体部５００は、互いに組み付けることで、図示しない制御基板を収容するための収容空間を形成する。この実施形態では、図２０乃至図２４にも示されているように、ケース本体部４００の両側縁部に、コの字形の係合溝４１１，４１１を、蓋体部５００の側に溝が向くように設ける一方、蓋体部５００の両側縁部に、この係合溝４１１，４１１に嵌合する嵌合用突条体５１１，５１１を設けてある。そして、ケース本体部４００及び蓋体部５００を対向させ、互いにコの字形の係合溝４１１，４１１に嵌合用突条体５１１，５１１を嵌合させた状態で、少しスライドさせ、ケース本体部４００及び蓋体部５００を組み付ける構成としている。
【０１００】
これによって、前記ケース本体部４００と前記蓋体部５００の開閉を、一方の嵌合用突条体５１１と、該嵌合用突条体５１１が係入する他方の係合溝４１１とによって行うことで、両者のスライドによる合わせが位置安定した状態で行い得て、スライド合わせにおいて、後述の封止ピン７００の先端係合部７０２に対する蓋体側封止部５０１の的確な接当状態が得られて、この封止ピン７００の伸縮作用（下動変位）を確実に発現させることができる。
【０１０１】
このように、前記ケース本体部４００と本体側封止部４０１及び蓋体部５００と蓋体側封止部５０１は、夫々一体成形されている。そして、前記蓋体側封止部５０１は、前記ケース本体４００と前記蓋体部５００とを閉封したときに、前記本体側封止部４０１のピン収納スペース４１０を実質的に閉蓋するように形成されている。
【０１０２】
次に、本発明の特徴とする係合部５０６について、図２０乃至図２６に基づいて詳述する。但し、図２１乃至図２６の実施例は、本実施例の変形例であって、図２０では、4個の係合部５０６が設けられているのに対し、３個であり、その詳細構造について後述する。
前記係合部５０６は、爪部５０７とこれを受け止める受部５０８とから構成され、且つ、第１ケースである前記ケース本体部４００側に爪部を、第２ケースである蓋体部５００の側に受部５０８を設けている。
更に、前記爪部５０７と受部５０８のうち、この実施例では、爪部５０７の方を弾性変形する弾性部５０９に構成している。
【０１０３】
具体的には、前記爪部５０７は、細い扁平の板状体（長さ約１５ｍｍ、幅約５ｍｍ、厚さ約２ｍｍ）が、ケース本体部４００成型時に、該ケース本体部４００の前記本体側封止部４０１が設けられた一側辺と対向する側の一側辺に一体的に外方に向けて突出するようにして構成されている。従って、プラスチック成形による素材の弾性が発現可能で、この実施例では、此れ自体が弾性部５０９を構成することになっている。このように、前記受部が、後述するように実質的に角形筒状体（先端部有底）に形成され、前記爪部５０７が、前記角形筒状体に挿入されるように合成樹脂成形で細片に構成され、該細片構造によって弾性変形する弾性部５０９に構成してある。
尚、この爪部５０７は、ケース本体部４００の成型時に一体成形されるのではなく、この爪部５０７を別途成形しておいて、ケース本体部４００に接着又は融着する方法で設けることができる。
【０１０４】
そして、前記ケース本体部４００の一側辺の幅方向中間位置に、所定長さの（幅の約１／３）のネジ止め部５１０Ａ（５１０Ｂは蓋体部５００側）が形成されており、その両側において、２個の係合部５０６，５０６が、中間に基板取り付けネジ部５１１，５１１を介在させて、所定の間隔を隔てて設けられている。両最外側の係合部５０６，５０６の爪部５０７は、その外側部が前記ケース本体４００の内側に位置して、前記ケース本体部４００の側壁の内側に摺接するように配置されている。
前記各爪部５０７は、先端に鉤形のフック５０７ａが形成されており、前記ケース本体部４００と蓋体部５００の嵌合が最終となったときに、そのフック５０７ａが弾性変形を経て、後述の受部５０８に係合するように構成されている。
【０１０５】
次に、係合部５０６の受部５０８の方の構造について、図２０乃至図２６に基づいて詳述する。
前記受部５０８は、第２ケースである蓋体部５００の側端部で、前記係合部５０６の各爪部５０７に対応する位置に４個配置されており、各々の構造は次の通りである。
この受部５０８を設けるに、蓋体部５００の合わせ面側壁端面に、前記爪部５０７の約１／２の厚み分だけ内側方向にコの字に切り欠かれた切り欠き溝５０８ａが形成され、この切り欠き溝５０８ａに合致し、且つ、連続するところのコの字溝５０８ｂを有し、その先端部５０８ｃが有底の角形筒状体の受部５０８が、この蓋体部５００の側端部に一体成型されている。前記コの字溝５０８ｂは、角形筒状体の受部５０８の先端側の逆向きのコの字溝ｅに連続している。この逆向きのコの字溝ｅは、これを蓋体部５００の外側から見た状態の形状である（角形筒状体の受部５０８の長手方向に直交する方向の断面を見るとコの字）。
【０１０６】
この角形筒状体の受部５０８の先端部側の下面、即ち、ケース本体部４００側に面した壁部が切り欠かかれ、開口部５０８ｄが形成されている。
この開口部５０８ｄは、角形筒状体の受部５０８に進入してきた爪部５０７の先端の鉤形のフック５０７ａが係入するためのものである。
このように、受部５０８が角形筒状体に形成されたことで、この受部５０８に対する爪部５０７の係合を容易に解除出来ないようにすることができ、これにより係合解除規制部を構成することになる。
このような係合解除規制部として、受部５０８を角形筒状体に形成するほか、前記係合部５０６，５０６の間に規制壁を設けたり、受部５０８に後述のネジ止め部５１０Ａを併置させるようにすることで同じ係合解除規制を行うようにすることができる。
【０１０７】
従って、この受部５０８を外側から見ると、前記コの字溝５０８ｂを形成する側面と、前記逆向きのコの字溝５０８ｅ（外側にコの字溝が開口）との間が、僅かの長さ（約１ｍｍ）だけ貫通する状態に形成されている。
この構造を、蓋体部５００の側面視でみると、受部５０８の先端側に、ケース本体４００に曲がったＬ字形状を呈する。
更に、前記コの字溝５０８ｂと逆向きのコの字溝５０８ｅの連通状態を、蓋体部５００の側面視で見ると（実際は有底で見えない）、その角形筒状体の内部として、丁度爪部５０７の厚み（２ｍｍ）の連通孔を形成することになる。
上記構成の係合部５０６の係合プロセスについては、後に言及する。
【０１０８】
図２１及乃至図２６に基づいて、更に追加説明を行う。図２１は、係合プロセス開始の状態の斜視図で、図２２は、そのＡ−Ａ矢視断面図であり、図２３は、係合直前の工程の状態を示す斜視図で、図２４は、そのＢ−Ｂ矢視断面図であり、図２５は、係合状態の斜視図で、図２６は、そのＣ−Ｃ矢視断面図である。図２１、図２３、図２５は、前記ケース本体部４００と蓋体部５００とを、一つの爪部５０７が長手方向に破断される状態で示されている。
前記係合部５０６は、爪部５０７とこれを受け止める受部５０８、５０８とから構成され、且つ、第１ケースである前記ケース本体部４００側に爪部を、第２ケースである蓋体部５００の側に受部５０８，５０８を設けている。
更に、前記爪部５０７と受部５０８，５０８のうち、この変形例でも爪部５０７の方を弾性変形する弾性部５０９に構成している。
【０１０９】
前記爪部５０７は、細い扁平の板状体（長さ約１５ｍｍ、幅約５ｍｍ、厚さ約２ｍｍ）が、ケース本体部４００成型時に、該ケース本体部４００の前記本体側封止部４０１が設けられた一側辺と対向する側の一側辺に一体的に外方に向けて突出するようにして構成されている。従って、プラスチック成形による素材の弾性が発現可能で、この実施例では、此れ自体が弾性部５０９を構成することになっている。
尚、この爪部５０７は、ケース本体部４００の成型時に一体成形されるのではなく、この爪部５０７を別途成形しておいて、ケース本体部４００に接着又は融着する方法で設けることができる。
【０１１０】
そして、前記ケース本体部４００の一側辺の幅方向の一側に、所定長さの（幅の約１/２）のネジ止め部５１０Ａ（５１０Ｂは、蓋体部５００側）が形成されており、その片側において、２個の係合部５０６，５０６が、中間に基板取り付けネジ部５２１を介在させて、所定の間隔を隔てて設けられている。そして、ネジ止め部５１０Ａ（５１０Ｂは、蓋体部５００側）の他側において、１個の係合部５０６が配置されている。
そして、ネジ止め部５１０Ａ（５１０Ｂは、蓋体部５００側）の片側の最外側の係合部５０６の爪部５０７は、その外側部が前記ケース本体４００の内側に位置して、前記ケース本体部４００の側壁の内側に摺接するように配置されている。
【０１１１】
前記各爪部５０７は、先端に鉤形のフック５０７ａが形成されており、前記ケース本体部４００と蓋体部５００の嵌合が最終となったときに、そのフック５０７ａが弾性変形を経て、受部５０８に係合するように構成されている。
【０１１２】
前記受部５０８，５０８は、第２ケースである蓋体部５００の側端部で、前記係合部５０６の各爪部５０７に対応する位置に、夫々配置されており、各々の構造は次の通りである。
この受部５０８，５０８の受部５０８を設けるに、蓋体部５００の合わせ面側壁端面に、前記爪部５０７の約１／２の厚み分だけ内側方向にコの字に切り欠かれた切り欠き溝５０８ａが形成され、この切り欠き溝５０８ａに合致し、且つ、連続するところのコの字溝５０８ｂを有し、その先端部５０８ｃが有底の角形筒状体の受部５０８が、この蓋体部５００の側端部に一体成型されているものである。前記コの字溝５０８ｂは、角形筒状体の受部５０８の先端側の逆向きのコの字溝ｅに連続している。この逆向きのコの字溝ｅは、これを蓋体部５００の外側から見た状態の形状である（角形筒状体の受部５０８の長手方向に直交する方向の断面を見るとコの字）。
【０１１３】
この角形筒状体の受部５０８の先端部側の下面、即ち、ケース本体部４００側に面した壁部が切り欠かかれ、開口部５０８ｄが形成されている。この開口部５０８ｄは、角形筒状体の受部５０８に進入してきた爪部５０７の先端の鉤形のフック５０７ａが係入するためのものである。また、爪部５０７と受部５０８との係合を解除しようとするときに、この開口部５０８ｄから工具を差し込んで、爪部５０７を弾性変形させ、開口部５０８ｄからフック５０７ａを浮き上がらせて係合状態をさせるために用いる。
【０１１４】
（作用の説明）
上記係合部５０６の作用について説明すると、図２１に示す状態は、ケース本体部４００と蓋体部５００とが、その係合溝４１１と嵌合用突条体５１１との嵌合で面合わせされた状態から、両者のスライド嵌合がなされる直前の状態である。
図２２は、この状態の図２１におけるＡ−Ａ矢視縦断側面図であり、前記爪部５０７が、図示で左方向にスライドされて移動する。
【０１１５】
図２３は、前記爪部５０７が受部５０８に到達し、その爪部５０７のフック５０７ａが角形筒状の受部５０８の内部コの字の底部に乗り上げ、弾性変形をはじめる。図２４は、この状態の図２３におけるＢ−Ｂ矢視縦断側面図であり、ここから更にスライドが進行する。
図２５は、ケース本体部４００と蓋体部５００とのスライド嵌合が終わった状態であり、図２６は、図２５におけるＣ−Ｃ矢視縦断側面図であって、このとき、爪部５０７のフック５０７ａが、受部５０８の開口部５０８ｄに至って、弾性復元力によって、その開口部５０８ｄに落ち込むことになる。これによって、ケース本体部４００と蓋体部５００とが、スライド方向で係合されることになり、開き方向への解除ができない。
そして、この状態において、本体側封止部４０１と蓋体側封止部５０１とが封止ピン７００によって固定される。
【０１１６】
この後に、不正行為者が前記本体側封止部４０１と蓋体側封止部５０１を破壊して基盤ユニット２０１を開封しようとした際、従来ではこれを破壊しただけで開封できていたのが、上記の複数（３個或いは４個）の係合部５０６が係合しているため、これを解除しなければ、或いは破壊しなければ開封できず、この分、非常に時間と手間を要することになるのである。
また、複数の係合部５０６が設けられていることで、それらが何処に存在するかを見出さなければならず、それも手間を要するものであり、その結果、従来のように簡単に、短時間で不正が行われるのを抑止することができる。
【産業上の利用可能性】
【０１１７】
本発明は、基板ユニットの破壊によってＲＯＭ交換の不正を、簡単、短時間で行うのを抑止することができ、それを基板ケースに係合部を設けるだけで実施できる構成であるので、遊技機、例えば、パチンコ機、スロットマシン、ゲーム機等、種々の遊技機に適用でき、その利用可能性は大きい。
【符号の説明】
【０１１８】
２６３：基板ケース
４００：第１ケース
４０１：第１封止部
４７０：封止機構
４１０：ピン収納スペース
４２０：ピン位置規制部
５００：第２ケース
５０１：第２封止部
５０６：係合部
５０７：爪部
５０７ａ：フック
５０８：受部
７００：封止ピン
【図１】
0005472654.tif 000002
【図２】
0005472654.tif 000003
【図３】
0005472654.tif 000004
【図４】
0005472654.tif 000005
【図５】
0005472654.tif 000006
【図６】
0005472654.tif 000007
【図７】
0005472654.tif 000008
【図８】
0005472654.tif 000009
【図９】
0005472654.tif 000010
【図１０】
0005472654.tif 000011
【図１１】
0005472654.tif 000012
【図１２】
0005472654.tif 000013
【図１３】
0005472654.tif 000014
【図１４】
0005472654.tif 000015
【図１５】
0005472654.tif 000016
【図１６】
0005472654.tif 000017
【図１７】
0005472654.tif 000018
【図１８】
0005472654.tif 000019
【図１９】
0005472654.tif 000020
【図２０】
0005472654.tif 000021
【図２１】
0005472654.tif 000022
【図２２】
0005472654.tif 000023
【図２３】
0005472654.tif 000024
【図２４】
0005472654.tif 000025
【図２５】
0005472654.tif 000026
【図２６】
0005472654.tif 000027